【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
プロセッサ、メモリ及びデータバスを含む制御システムを備えていて、医療輸液を含む医療イベントをスケジュールするための輸液計画システムであって、
前記制御システムは、
１又は２以上の患者に関連する複数の薬剤イベントオーダを受信するものであり、前記複数の薬剤イベントオーダは、１又は２以上の輸液ポンプによる投与を対象にした複数の薬剤輸液オーダを少なくとも含むとともに、薬剤輸液オーダごとに送達パラメータを含んでおり、
さらに前記制御システムは、
少なくとも１つの薬剤安全パラメータを各薬剤輸液オーダに割り当て、
関係する任意の薬剤輸液オーダ及び割り当てられた薬剤安全パラメータを互いに関連づけるとともに、
前記１又は２以上の患者に特有の患者情報を病院情報サービスデータベースから受信するものであり、
さらに前記輸液計画システムは、
前記制御システムに結合される医療提供デバイスと、
前記医療提供デバイスにおいて表示されるグラフィカルユーザインタフェース（ＧＵＩ）と、を備えており、前記ＧＵＩが前記複数の薬剤輸液オーダに対応する複数の輸液送達プロファイルグラフィックを含んでおり、前記複数の輸液送達プロファイルグラフィックの各々は、送達される薬剤の量及び流体送達にかかる時間の量の双方に対応する視覚情報を提示するものであり、前記ＧＵＩがスケジュールタイムラインを含んでおり、前記スケジュールタイムラインは、前記スケジュールタイムラインにおける前記輸液送達プロファイルグラフィックのユーザ操作によって前記薬剤イベントオーダの投与にかかる時間の割り当て及び修正を可能にする、輸液計画システム。
【請求項２】
前記医療提供デバイスが、ＰＣワークステーション、ラップトップ、電子式タブレット、又はスマートフォンである、請求項１に記載の輸液計画システム。
【請求項３】
スケジュールされる輸液について流体送達の許容範囲を反映する色分けされたスケールが前記ＧＵＩに設けられている、請求項１に記載の輸液計画システム。
【請求項４】
前記ＧＵＩは、関係する薬剤輸液オーダを示すグラフィックを表示する、請求項１に記載の輸液計画システム。
【請求項５】
前記ＧＵＩは、時間とともに変更が生じる場合に、リアルタイムに更新される輸液送達プロファイルグラフィックを表示する、請求項１に記載の輸液計画システム。
【請求項６】
前記薬剤輸液オーダが前記データバスによって受信される唯一の薬剤イベントオーダではないようにした、請求項１に記載の輸液計画システム。
【請求項７】
前記制御システムが複数の輸液ポンプを備えるスマートポンプスタックを制御する、請求項１に記載の輸液計画システム。
【請求項８】
少なくとも１つの輸液ポンプによって送達される複数の輸液のスケジューリングを含む、患者治療イベントのスケジューリング用のグラフィカルユーザインタフェース（ＧＵＩ）であって、該ＧＵＩは、
少なくとも１つの特定日における時間間隔を表す複数のカラムを備えるタイムスケジュール表示部と、
オーダ輸液又は投与用薬剤をそれぞれ表している複数の輸液バーと、
患者に送達される薬剤の量及び送達に必要とされる時間間隔の長さの双方を描写する、各オーダ輸液に関連する輸液送達プロファイルグラフィックと、を備えており、
前記輸液送達プロファイルグラフィックは、対応する前記オーダ輸液に関連する前記輸液バー内で移動するよう構成されており、それにより前記輸液送達プロファイルグラフィックは、前記オーダ輸液が送達のためにスケジュールされる時間間隔を表す前記カラムに整列されている、グラフィカルユーザインタフェース（ＧＵＩ）。
【請求項９】
チャートに表示される前記時間間隔における前記オーダ輸液の累積合計を描写するトータル輸液バーが含まれる、請求項８に記載のグラフィカルユーザインタフェース（ＧＵＩ）。
【請求項１０】
互いにリンクされる前記オーダ輸液を描写するのにグラフィックが使用される、請求項８に記載のグラフィカルユーザインタフェース（ＧＵＩ）。
【請求項１１】
リアルタイムに更新される変更が前記タイムスケジュール表示部において示される、請求項８に記載のグラフィカルユーザインタフェース（ＧＵＩ）。
【請求項１２】
薬剤輸液療法に関係しない前記１又は２以上の患者を対象にした医療イベントが表示される、請求項８に記載のグラフィカルユーザインタフェース（ＧＵＩ）。
【請求項１３】
前記複数の輸液バーの少なくとも１つに隣接して流体送達の許容範囲を反映する色分けされたスケールが設けられている、請求項８に記載のグラフィカルユーザインタフェース（ＧＵＩ）。
【請求項１４】
コンピュータデバイスに輸液及び薬剤送達のスケジューリング方法を実行させる、コンピュータ使用可能な命令を記憶する、非一時的データ記憶媒体であって、前記スケジューリング方法は、
１又は２以上の輸液ポンプによる投与を対象にした複数の薬剤輸液オーダを含むとともに、薬剤輸液オーダごとに送達パラメータを含む、１又は２以上の患者に関連する複数の薬剤イベントオーダを受信し、
薬剤安全パラメータを各薬剤輸液オーダに割り当て、
関係する任意の薬剤輸液オーダ及び割り当てられた薬剤安全パラメータを関連づけ、
前記１又は２以上の患者に特有の患者情報を病院情報サービスデータベースから受信するとともに、
共通のスケジュールタイムラインにおいて設定される複数の輸液バーを有する表示部を含む、グラフィカルユーザインタフェースを生成すること、を含んでおり、各輸液バーが、薬剤輸液オーダの種類に関連するとともに、輸液量を表す第１の座標及び時間を表す第２の座標を含んでおり、
さらに、前記スケジューリング方法は、
輸液バーごとに輸液送達プロファイルグラフィックを表示すること、を含んでおり、前記輸液送達プロファイルグラフィックが、前記輸液バーに関連する前記薬剤輸液オーダについて送達用輸液流体の量及び輸液の時間長を視覚的に描写した形状を有しており、
さらに、前記スケジューリング方法は、
対応する薬剤輸液についてタイミングをスケジュールするために、前記輸液バー内で前記輸液送達プロファイルグラフィックのユーザ操作を可能にすること、を含む、非一時的データ記憶媒体。
【請求項１５】
前記１又は２以上の患者の各々について実際の輸液及び薬剤送達の記録がなされる、請求項１４に記載の非一時的データ記憶媒体。
【請求項１６】
前記グラフィカルユーザインタフェースの表示部がリアルタイムに更新される、請求項１５に記載の非一時的データ記憶媒体。
【請求項１７】
前記グラフィカルユーザインタフェースは、所定の時間間隔の間に送達される輸液流体の累積量を描写するトータル輸液バーを含む、請求項１４に記載の非一時的データ記憶媒体。
【請求項１８】
医療施設における患者を対象にした輸液治療の計画方法であって、
タイムラインに基づくグラフィカルな患者輸液記録のデータベースにアクセスし、
関連する輸液タイムライン記録のセットを特定するために前記患者のプロファイルに一致する、患者プロファイルに関連したパラメータを使用して検索ソフトウェアの支援によりグラフィカルな患者輸液記録をフィルタリングし、
前記患者プロファイルに一致する個人の治療に関係する情報を取得するために、前記関連する輸液タイムライン記録のセットをレビューし、
前記関連する輸液タイムライン記録のセットのレビューを考慮して前記患者について１又は２以上の患者輸液オーダを決定するとともに、
前記１又は２以上の患者輸液オーダを、前記医療施設内の前記患者を対象にした輸液治療のスケジューリング及び記録を担当する輸液計画システムに対して電子的に提出すること、を含む、計画方法。
【請求項１９】
前記輸液計画システムが、前記１又は２以上の患者輸液オーダに、種々の輸液オーダの前記スケジューリングを互いに制限する特有のルールを割り当てる、請求項１８に記載の計画方法。
【請求項２０】
前記パラメータが、年齢、体重、性別、民族のうちの１又は２以上を含む、１又は２以上の患者特性を含んでいる、請求項１９に記載の計画方法。
【請求項２１】
前記パラメータが、ＩＣＤ−９コード、ＩＣＤ−１０コード、薬剤の種類、治療範囲、治療を行う医師、治療の回数、処置コードのうちの１又は２以上を含む、１又は２以上の治療特性を含んでいる、請求項２０に記載の計画方法。
【請求項２２】
前記パラメータが、血圧、心拍数、ＣＯ２レベル、Ｏ２レベル、ＥＣＧ、ＢＩＳ、又は疼痛反応メータの読み取り値のうちの１又は２以上を含む、１又は２以上の患者生理学的測定値を含んでいる、請求項２１に記載の計画方法。